(57)【要約】【課題】ワイヤを拘束する力が強く、しかし、ワイヤを傷めず、かつ、操作性の良いワイヤグリップの提供。【解決手段】クサビ形をしたシュー７の面をワイヤ５の面に圧接・離隔することによりワイヤ５を拘束・解除するシュー型グリップ２と鋼球１４をワイヤ面に圧接・離隔することによりワイヤ５を拘束するベアリング型グリップ３とからなる。一本のワイヤ５にシュー型グリップ２とベアリング型グリップ３を、ワイヤの移動が拘束される方向にワイヤが引かれる方向を前方として、シュー型グリップ２を前方にベアリング型グリップ３を後方として直列に一体に接続する。物品との係合部を備える。【選択図】図２
2010059992.tif 000002
【特許請求の範囲】
【請求項１】
シューの面をワイヤ面に圧接・離隔することによりワイヤを拘束・解除するシュー型グリップと鋼球をワイヤ面に圧接・離隔することによりワイヤを拘束するベアリング型グリップとからなり、一本のワイヤにシュー型グリップとベアリング型グリップを、ワイヤの移動が拘束される方向にワイヤが引かれる方向を前方として、シュー型グリップを前方にベアリング型グリップを後方として直列に一体に接続してあり、物品との係合部を備えていることを特徴としたワイヤグリップ。
【請求項２】
シュー型グリップはワイヤが貫通するケース筒とシュー及びこれをケース筒内部の前部に形成されたテーパー面に押圧する押圧スプリングを備え、後方のベアリング型グリップは、ワイヤが貫通するケース筒と鋼球及びこれをケース筒内部の前部に形成されたテーパー面に押圧する押圧スプリングを備えており、シュー型グリップのケース筒の後端部にベアリング型グリップのケース筒の前部をねじ込むことにより、シュー型グリップのケース筒の後端を閉鎖してシューを押圧する押圧スプリングの支持部を形成すると共にシュー型グリップとベアリング型グリップを一体に結合してあることを特徴とした請求項１に記載のワイヤグリップ。
【請求項３】
シュー型グリップはワイヤが貫通するケース筒とシュー及びこれをケース筒内部の前部に形成されたテーパー面に押圧する押圧スプリングを備え、後方のベアリング型グリップは、ワイヤが貫通するケース筒と鋼球及びこれをケース筒内部の前部に形成されたテーパー面に押圧する押圧スプリングを備えており、シュー型グリップ及びベアリング型グリップのケース筒の外周にねじを形成し、これらに内面を雌ねじに形成した１個の連結筒を螺合してシュー型グリップとベアリング型グリップを一体に結合してあることを特徴とした請求項１に記載のワイヤグリップ。
【請求項４】
シュー型グリップは、ケース筒の前部にワイヤが貫通する筒首とこれの外周に螺合する手動用のねじを備えると共に、筒首の内部にシューの前端に達するプッシュピンが差し込まれ、手動用のねじをねじ込むとプッシュピンが押されてシューを押圧スプリングの付勢に抗してケース筒の内部において後方へ移動させワイヤを拘束している状態を解除するものであることを特徴とした請求項１〜３のいずれか一つに記載のワイヤグリップ。
【請求項５】
ベアリング型グリップは、ケース筒の後部からプルピンが外部に突出しており、プルピンの前部は鋼球の前方に位置して、プルピンを後方へ引くことで鋼球を押圧スプリングに抗してケース筒の内部において後方へ移動させてワイヤを拘束した状態を解除するものであることを特徴とした請求項１〜４のいずれか一つに記載のワイヤグリップ。
【発明の詳細な説明】
【技術分野】
【０００１】
この発明は、ワイヤを用いて額縁やパネルあるいは照明器具などの物品を壁面に沿って、あるいは空間に配置するための金物に関する。
【背景技術】
【０００２】
例えば、美術館において絵画の展示に、高所から吊り下げたワイヤにフックを備えたワイヤグリップを装着し、これに額縁を取付けている。ワイヤはステンレス細線を撚り合わせたφ１．５ｍｍ程度の撚り線であり、ワイヤグリップは、特許文献１,２のように、ケース筒内部のテーパー面に複数の鋼球を配置し、これら鋼球をワイヤに押し付けてワイヤを拘束する構造のベアリング型グリップが主流となっている。
【０００３】
ベアリング型グリップは、ワイヤを拘束したり解除するための操作が簡単であって、展示品の位置の調整が容易である。しかし、ワイヤの拘束が球体の点接触によるため、拘束状態の維持が衝撃や振動に弱く展示位置がずれてしまうことがある。
また、展示物は通常、目線との関係で位置が定められるため、展示物に応じて高さが調整されるが、この調整は高所から吊り下げられているワイヤの狭い範囲で繰り返し行われる。そして、この拘束は、鋼球による点接触で撚り線を強く押圧するので、ワイヤの撚りが緩んだり細線が切断されてささくれ、怪我をするなどの事故が心配される。最悪の場合には、額縁の重量でワイヤの傷が進行し、額縁が落下してしまう危険さえある。このため、ワイヤの疲労度を把握しておくために点検回数を多くするとか、ワイヤを早めに取り替えるなど管理上のわずらわしさと無駄が生じている。
【０００４】
一方、ワイヤグリップには、特許文献３ように、ケース筒内部のテーパー面に複数のシュー（多くはクサビ形）を配置し、これらシューの一面をワイヤに圧接してワイヤを拘束する構造のシュー型グリップがある。シュー型グリップは、面でワイヤを圧接してワイヤを拘束するのでワイヤを傷めることが少ない。しかも、拘束力が大きく、また、衝撃や振動に強い利点がある。
【０００５】
しかし、シュー型グリップは、拘束力が強い反面、拘束状態を解除するのに大きな力が必要であり、額縁を展示する程度のワイヤグリップであっても工具を用いずに手動で操作するのが困難である。
また、工具を用いて拘束を解除すると一挙に解除されて額縁などが落下してしまう恐れがある。
このため、ワイヤグリップの位置調整が頻繁に必要な美術館などで採用されていることは少ない。
【０００６】
【特許文献１】特開平１０−３０４９５９号公報
【特許文献２】登録実用新案第３００９２５７号公報
【特許文献３】特開平９−１８４５１０号公報
【発明の開示】
【発明が解決しようとする課題】
【０００７】
この発明は、物品の展示などに用いるワイヤグリップであって、ワイヤを拘束する力が強く、しかし、ワイヤを傷めず、かつ、操作性の良いワイヤグリップの提供を課題とする。
【課題を解決するための手段】
【０００８】
シュー型グリップとベアリング型グリップとからなり、一本のワイヤにシュー型グリップとベアリング型グリップを、ワイヤの移動が拘束される方向にワイヤが引かれる方向を前方として、シュー型グリップを前方にベアリング型グリップを後方として直列に配置し、一体に接続した構造を基本とする。
ワイヤグリップは、物品を取付けるためにフックのような、物品係合部を備える。
また、シュー型グリップによるワイヤの拘束を、つまみをねじ込む操作で軽く解除できる構成とする。
【発明の効果】
【０００９】
シュー型グリップによってワイヤが強力に拘束され、衝撃や振動があっても、額縁などワイヤグリップに取付けた物品の位置が確保される。
シュー型グリップがメイングリップ（荷重のほとんどを負担する）となってワイヤを拘束するので、ワイヤを傷めることが少ない。このため、絵画などの物品が落下する恐れをなくし、また、ワイヤの交換回数を減らすなどメインテナンス負担を軽減することができる。
【００１０】
シュー型グリップとベアリング型グリップを一体に採用し、ワイヤに対してシュー型グリップを前方にベアリング型グリップを後方として直列に配置しているので、仮に物品を取付けたままその位置を調整をしようと、シュー型グリップによる拘束を解除してもその操作の間、物品はベアリング型グリップによって支持されており、物品が不測に落下してしまうなどのことがない。このため、安全にかつ落ち着いて作業をすることができる。
つまみをねじ込むことで、シュー型グリップによる拘束を解除できるので、ワイヤを拘束する力が強くても拘束の解除を手動で軽く行うことができる。
【発明を実施するための最良の形態】
【００１１】
図１〜３は、実施例１を示し、図１は外観、図２は断面にて内部構造を示し、図３はフックを示している。
ワイヤグリップ１は、シュー型グリップ２とベアリング型グリップ３からなり、係合部としてフック４を備えている。符号５はワイヤであり、ＳＵＳφ１．５ｍｍ（７＊７）の撚り線である。
なお、説明の都合上、ワイヤ５の方向を上下方向とするが、一般にはワイヤ５の移動が拘束される方向にワイヤ５が引かれる方向を前方として説明することができる。
【００１２】
シュー型グリップ２は、ワイヤ５が貫通するケース筒６とクサビ形をした複数のシュー７及びこれをケース筒６内部の上部（前部）に形成されたテーパー面８に押圧する押圧スプリング９を備えた通常の構造を基本としている。
ケース筒６は上部に筒首１０を有し、筒首１０の外周面に形成した雄ねじに天井を有する袋ナット型のつまみ１１が螺合している。ワイヤ５は、筒首１０、つまみ１１を貫通して上下に延びている。筒首１０の内部にはワイヤ５に挿通されたパイプ構造のプッシュピン１２が配置され、下端が前記複数のシュー７の上端面に接しており、また、上端は筒首１０の上端面よりも突出している。突出量はプッシュピン１２が下方へ押し込まれた場合、下方に移動したシュー７がケース筒６のテーパー面８から解放される位置となる量であり、この実施例において５ｍｍである。
【００１３】
つまみ１１は、筒首１０に螺合された上限位置でその天井がプッシュピン１２からわずかにはなれており、ねじ込むと天井の下降に伴ってプッシュピン１２を押圧スプリング９の付勢に抗して押し下げ、下限位置へ到達する前にシュー７をテーパー面８から解放する。
つまみ１１をねじ込む操作は押圧スプリング９の抵抗をうけるが、筒首１０の雄ねじのピッチを小さくしておくことで軽く操作することができる。つまみ１１を上方に移動すれば、シュー７は押圧スプリング９に押されてテーパー面８に押圧され、その分力でワイヤ５に圧接され、ワイヤ５を拘束する。圧接は面で行われる。拘束はワイヤ５を上方へ引き抜く方向のときであり、逆方向には拘束が解除される。
【００１４】
ベアリング型グリップ３は、ワイヤ５が貫通するケース筒１３と鋼球１４及びこれをケース筒１３内部の上部（前部）に形成されたテーパー面８に押圧する押圧スプリング１６を備えている。ベアリング型グリップ３のケース筒１３の上端は雄ねじを備えた栓体部１７に構成され、シュー型グリップ２のケース筒６の後端部に形成された雌ねじ部に螺合して固定される。
ワイヤ５は栓体部１７を貫通する。栓体部１７は、シュー型グリップ２のケース筒６の後端を閉鎖してシュー７を押圧する押圧スプリング９の後端を支持するとともに、シュー型グリップ２とベアリング型グリップ３を一体に結合する機能を有する。
【００１５】
ベアリング型グリップ３のケース筒１３の後端は、この部分に形成された雌ねじに螺合する雄ねじを備えた蓋ねじ１８で閉鎖される。蓋ねじ１８はケース筒１３の後端を閉鎖すると同時に内部の押圧スプリング１６の支持部となり、また、フック４の基部をワイヤグリップ１に取り付ける固定具ともなる。ワイヤ５は蓋ねじ１８を貫通する。
フック４は、額縁などのヒートンを係合する構造となっており、基部のリング状部分１９がケース筒１３の下端面と蓋ねじ１８とで挟みこまれる形で固定され、リング状部分１９から下方へ延び出したフック部２０が先端で鉤部２１となっている。
【００１６】
蓋ねじ１８にはワイヤ５に挿通されたプルピン２２が貫通しており、その上端部は複数の鋼球１４を緩やかに捕捉している保持部２３とされ、下端は蓋ねじ１８から下方へ突出してその部分にプル操作用の指掛け部２４が固定されている。なお、フック４の鉤部２１は指掛け部２４をプル操作する際に邪魔にならないように十分離れた位置に配置される。
【００１７】
図４，５は額縁の展示に使用した例を示している。額縁２５は、通常、背面左右にヒートンを備え、この部分を吊り上げるようになっている。そこで、図４の態様は、壁面の高所に上端を固定した２本のワイヤ５にワイヤグリップ１をシュー型グリップ２を上方として取付け、そのフック４でヒートンを係止して展示する。シュー型グリップ２とベアリング型グリップ３はシュー型グリップ２を上方として直列に一体に接続した構造でワイヤ５に取付けられる。
【００１８】
実施例１では、ケース筒６,１３の直径は１０ｍｍ、ワイヤグリップ１としての全長は６０ｍｍであり、ワイヤ５として前記のようにステンレスのφ１．５ｍｍ（７＊７）の撚り線を用いる。このときのワイヤ５を拘束する力は、シュー型グリップ２において１６９〜１７３ｋｇ、ベアリング型グリップ３において１０８〜１１６ｋｇである。この拘束力の大きさは、シュー型グリップ２に関してＪＩＳ規格（Ｇ３５３４）ワイヤー破断荷重の９０〜１００％に達する。ベアリング型グリップ３では同５０〜７０％である。
なお、下方に余剰となったワイヤ５は丸くまとめて額縁の裏側に隠してある。
【００１９】
図５の態様は、２本のワイヤ５の上端と下端を天井と床に固定してその途中に取付けたワイヤグリップ１に額縁２５のヒートンを掛けて展示したものである。
いずれの場合も、額縁の重量は主としてシュー型グリップ２が負担することになるが、そのワイヤ５を拘束する力はシュー７の面接触によるものであって、強力であるから脱落の恐れは小さい。仮に、シュー型グリップ２に支障が生じても下方のベアリング型グリップ３で二重に拘束しているから安全である。また、衝撃や振動で額縁が移動したり傾いたりすることも生じにくい。
【００２０】
このような展示構造において、展示物の位置を調整したり、大きさの異なる展示物に変えたりする場合は、ワイヤ５におけるワイヤグリップ１の位置を調整する必要がある。
この調整は、基本的に図６イ〜ハの手順で行う。
【００２１】
〔イ〕  完全固定状態・・・図６イ
通常の展示状態であり、シュー型グリップ２の上端におけるつまみ１１が上限位置にあり、プッシュピン１２は上方位置にある。シュー７は押圧スプリング９で上方に押し上げられてワイヤ５を拘束している。同時に、ベアリング型グリップ３においても鋼球１４が押圧スプリング１６で上方に押し上げられてワイヤ５を拘束しており、シュー型グリップと共に２重にワイヤを拘束している。
この状態では、ワイヤグリップ１の全体をそのまま上方へ移動させることが可能であるが、下方へは前記二重の拘束により、展示物に重量があっても落下することはなく安全である。
【００２２】
〔ロ〕  仮固定状態・・・図６ロ
展示物の位置を変える際の第１段階であり、まず、つまみ１１を手動でねじ込み下方へ移動させる。これに伴い、プッシュピン１２が下降して（図４においてイ・ロ間のｄ１）シュー７によるワイヤ５の拘束を解除する。このとき、プッシュピン１２の押圧はつまみを回してねじにより行うので、簡単であり、かつ、ねじピッチを小さくすることで軽く行える。また、ねじを回して拘束を解除したり、拘束したりする操作は、専門の係員でなくても、額縁の運搬者でも指示により簡単に行えるので、位置の調整に際して係員が直接に手を煩わす手間も省くことができる。
シュー型グリップ２の拘束が解除されても、ベアリング型グリップ３の拘束は続いているので、仮に、額縁をかけたまま調整作業を行っていても、不測に落下してしまう事態を防止することができる。
【００２３】
〔ハ〕  全解除状態・・・図６ハ
仮固定状態からさらに、ベアリング型グリップ３の指掛け部２４を下に引きプルピン２２を下方へ移動させる（図４のロ・ハ間のｄ２）と、ベアリング型グリップ３によるワイヤ５の拘束が解除されて、ワイヤグリップ１はワイヤ５を任意な位置へ自由に移動させることができる。
このようにして、ワイヤグリップ１の位置を調整できる。この調整はワイヤ５においてその狭い範囲内で頻繁に行われることがあるが、主として拘束力を発揮するシュー型グリップ２の拘束は面によるので、ワイヤ５に対する力が分散され、押圧がソフトに行われるので、ワイヤ５の疲労、損傷が小さい。
このため、ワイヤのメインテナンス作業が軽減される。
【００２４】
図７は、第２の実施例を示し、上方のシュー型グリップ２と下方のベアリング型グリップ３がこれらのケース外筒６,１３の外周面に螺合される連結筒２６によって一体に結合されている。連結筒２６内部でベアリング型グリップ３は上端面をシュー型グリップ２の下端面に突き合わせているだけである。シュー型グリップ２の押圧スプリング９はケース筒６の下端部内面に形成された雌ねじにねじ込まれる別個の栓ねじ２７で支持される。また、フック４は、基部のリング状部分１９がベアリング型グリップ３の下端面と蓋ねじ１８との間に挟まれて取付けられる。他の構成は実施例１の場合と同様である。
【００２５】
実施例２の構造は、ベアリング型グリップ３のケース筒１３の上端面に栓体部１７を構成する必要が無く構造が簡単になるのと、連結筒２６によって外観がすっきりとまとめられる利点がある。また、連結筒２６によって、広い範囲でシュー型グリップ２とベアリング型グリップ３が結合されるので、結合構造が頑丈であり、長期の使用に耐える。
【００２６】
以上、実施例１,２について説明したが、シュー型グリップ２とベアリング型グリップ３を直列に結合するための構造、フック４の形態とこれをワイヤグリップ１に取付けるための構造や位置は限定されない。
ワイヤ５は実施例ではφ１．５ｍｍとしているが、美術館における使用の都合によるのであり、これより太い場合もあれば細い場合もある。
実施例は額縁を展示する場合について説明したが、この発明のワイヤグリップ１は、他の展示用途やワイヤ５の配置を横にし、ワイヤグリップ１のフック４を利用した牽引目的に使用することもできる。この場合においてもワイヤ５の線径は制限されるものではなく、また、ワイヤグリップ１は相応の大きさとなる。
ワイヤ５は、ステンレスの撚り線に限らない。
【図面の簡単な説明】
【００２７】
【図１】外観を示した斜視図（実施例１）。
【図２】内部構造を示した断面図。
【図３】フックを示した斜視図。
【図４】吊り下げた額縁を背面側から見ている斜視図。
【図５】吊り下げた額縁の他の例を背面から見ている正面図。
【図６】使用状態を示す断面図であり、イは完全固定時、ロは仮固定時、ハは全解除時。
【図７】内部構造を示した断面図（実施例２）。
【符号の説明】
【００２８】
１  ワイヤグリップ
２  シュー型グリップ
３  ベアリング型グリップ
４  フック（係合部）
５  ワイヤ
６  ケース筒（シュー型グリップの）
７  シュー
８  テーパー面
９  押圧スプリング
１０  筒首
１１  つまみ
１２  プッシュピン
１３  ケース筒（ベアリング型グリップの）
１４  鋼球
１５  テーパー面
１６  押圧スプリング
１７  栓体部
１８  蓋ねじ
１９  リング状部分
２０  フック部
２１  鉤部
２２  プルピン
２３  保持部
２４  指掛け部
２５  額縁
２６  連結筒
２７  栓ねじ
【図１】
2010059992.tif 000003
【図２】
2010059992.tif 000004
【図３】
2010059992.tif 000005
【図４】
2010059992.tif 000006
【図５】
2010059992.tif 000007
【図６】
2010059992.tif 000008
【図７】
2010059992.tif 000009